(57)【要約】【課題】  「ラッパ飲み」を行うペットボトル等の飲料容器において、注ぎ口の掃除をきわめて容易に可能にするとともに、注ぎ口を唇に当てたときに快適な感触が得られるようにする。【解決手段】  飲料容器本体から突出する略円筒状の注ぎ口１０の内周面に雌ネジ１１を螺刻した。また、一端を閉塞した円筒状の外殻部２２と、この外殻部２２の閉塞部分の中心から外殻部２２の他端方向に向かって突出するとともに、その外周面に前記雌ネジ１１と螺合する雄ネジ２４を形成して成る突出部２１とによってキャップ２０を形成した。ここで、突出部２１の雄ネジ２４を注ぎ口１０の雌ネジ１１に螺合すると、外殻部２２が注ぎ口１０の外周面を覆う。これにより、注ぎ口１０の外周面は平滑に形成できるから、唾液等が外周面に付着した場合であっても、布等を用いてきわめて容易に拭き取ることができる。【選択図】  図１
2006008137.tif 000002
【特許請求の範囲】
【請求項１】
飲料容器本体から突出し、その内周面に雌ネジを螺刻して成る略円筒状の注ぎ口と、
一端を閉塞した円筒状の外殻部と、前記外殻部の閉塞部分の中心から前記外殻部の他端方向に向かって突出するとともに、その外周面に前記雌ネジと螺合する雄ネジを形成して成る突出部とから成るキャップと
を具備し、前記外殻部は、前記突出部の雄ネジを前記注ぎ口の雌ネジに螺合した際に前記注ぎ口の外周面を覆うように形成されていることを特徴とする飲料容器のキャップ構造。
【請求項２】
前記外殻部の軸方向の長さを、前記突出部の軸方向の長さ以上にしたことを特徴とする請求項１記載の飲料容器のキャップ構造。
【発明の詳細な説明】
【技術分野】
【０００１】
本発明は、ペットボトル、水筒等に用いて好適な飲料容器のキャップ構造に関する。
【背景技術】
【０００２】
通常、ペットボトル、水筒等の飲料容器においては、その本体から略円筒状の注ぎ口が突出しており、該注ぎ口の外周には雄ネジが螺刻されている。また、これらの飲料容器には一端を閉塞した円筒状のキャップが付属しており、そのキャップの内周面には、上記注ぎ口の雄ネジに螺合する雌ネジが螺刻されている。そして、キャップを注ぎ口に当接させ左右に回動させることにより、注ぎ口を開閉することができる。
なお、特許文献１に開示されているような広口瓶においては、中栓に小径円筒状の注ぎ口を形成するとともに、該注ぎ口の内周面に雌ネジを螺刻したものも知られている。かかる広口瓶においては、該注ぎ口を開閉する栓は注ぎ口に挿通する円筒状に形成され、その栓の外周には注ぎ口に螺合するための雄ネジが螺刻されている。
【０００３】
【特許文献１】実開平１−９６８５８号公報
【発明の開示】
【発明が解決しようとする課題】
【０００４】
ところで、ジョギングやエクササイズを行う際には、飲料を充填したペットボトル、水筒等の飲料容器を携帯し、適宜飲料を摂取することが望ましい。その際、飲料容器からコップ等に飲料を注いで摂取してもよいが、かかる作業は煩雑であるため、飲料容器の注ぎ口に使用者の口を直接接触させて摂取する、いわゆる「ラッパ飲み」が行われている。ラッパ飲みを行うと、注ぎ口の外周に唾液が付着するために雑菌が繁殖し、衛生上好ましくない。そこで、注ぎ口の外周を掃除すればよいのであるが、一般的な飲料容器においては注ぎ口の外周には雄ネジが螺刻されているため、掃除が煩雑であるという問題が生じる。また、注ぎ口の外周には雄ネジが螺刻されていると、唇に雄ネジが当たり、感触上も好ましくなかった。
この発明は上述した事情に鑑みてなされたものであり、容易に掃除でき、しかも注ぎ口を唇に当てたときに快適な感触を得ることができる飲料容器のキャップ構造を提供することを目的としている。
【課題を解決するための手段】
【０００５】
上記課題を解決するため本発明にあっては、下記構成を具備することを特徴とする。なお、括弧内は例示である。
請求項１記載の飲料容器のキャップ構造にあっては、飲料容器本体から突出し、その内周面に雌ネジ（１１）を螺刻して成る略円筒状の注ぎ口（１０）と、一端を閉塞した円筒状の外殻部（２２）と、前記外殻部（２２）の閉塞部分の中心から前記外殻部（２２）の他端方向に向かって突出するとともに、その外周面に前記雌ネジ（１１）と螺合する雄ネジ（２４）を形成して成る突出部（２１）とから成るキャップ（２０）とを具備し、前記外殻部（２２）は、前記突出部（２１）の雄ネジ（２４）を前記注ぎ口（１０）の雌ネジ（１１）に螺合した際に前記注ぎ口（１０）の外周面を覆うように形成されていることを特徴とする。
さらに、請求項２記載の構成にあっては、請求項１記載の飲料容器のキャップ構造において、前記外殻部（２２）の軸方向の長さを、前記突出部（２１）の軸方向の長さ以上にしたことを特徴とする。
【発明の効果】
【０００６】
このように、本発明によれば、注ぎ口の内周面に雌ネジを形成し、ここにキャップの突出部を螺合することによってキャップを注ぎ口に固定できるから、注ぎ口の外周面には螺合用の構造物を設ける必要がなくなり、注ぎ口の外周面を平滑にすることができる。これにより、注ぎ口の外周面を容易に掃除することができ、注ぎ口を唇に当てたときに快適な感触を得ることができる。
【発明を実施するための最良の形態】
【０００７】
次に、本発明の一実施例のペットボトルのキャップ構造を図１を参照し説明する。
図において３０はペットボトル本体であり、その上端部には略円筒状に形成された樹脂製の注ぎ口１０が固着されている。注ぎ口１０の内周面には、雌ネジ１１が螺刻されている。また、注ぎ口１０の外周面１２は平滑であり、その先端部１２ａは、注ぎ口１０の端部に向かうほど半径が徐々に小となるように切り欠かれている。
【０００８】
２０はキャップであり、一端（閉塞端２２ｂ）を閉塞した円筒状の外殻部２２と、この閉塞端２２ｂの中心から該外殻部２２の他端（開放端２２ａ）方向に向かって突出する略円柱状の突出部２１とから構成されている。突出部２１の外周面には、注ぎ口１０に形成された雌ネジ１１に螺合する雄ネジ２４が螺刻されている。また、外殻部２２の内周面は、注ぎ口１０の外周面の形状に対して若干の空隙を隔てて覆うような形状に形成されている。ここで、外殻部２２の軸方向の長さは、突出部２１の軸方向の長さ以上に形成されている。これにより、突出部２１の突出端２１ａは、外殻部２２の開放端２２ａと同一平面上または開放端２２ａよりも内側に位置することになる。
【０００９】
上記構成において、キャップ２０の突出部２１を注ぎ口１０の内周面に挿入し、キャップ２０を右方向に回動すると、突出部２１が注ぎ口１０に螺合され、図１に示すように注ぎ口１０が閉状態になる。また、この状態でキャップ２０を左方向に回動すると、突出部２１が注ぎ口１０から外れ、注ぎ口１０が開状態になる。このように、本実施例によれば、注ぎ口１０の内周面に形成した雌ネジ１１を用いて注ぎ口１０にキャップ２０を装着するから、注ぎ口１０の外周面にはキャップ２０を装着するための機構が全く不要になり、注ぎ口１０の外周面をきわめて平滑に形成することができる。従って、注ぎ口１０に唾液等が付着した場合であっても、布等を用いてきわめて容易に唾液等を拭き取ることができ、注ぎ口１０を清潔な状態に保つことができる。さらに、かかる特徴により、使用者が注ぎ口１０に唇に当てたときに快適な感触を得ることができる。
【００１０】
さらに、本実施例によれば、注ぎ口１０にキャップ２０を装着した状態においては、キャップ２０の外殻部２２が注ぎ口１０を覆うため、注ぎ口１０にゴミ等が付着することを防止できる。なお、上述した特許文献１等ものは、かかる機能を全く有していない。さらに、本実施例によれば、外殻部２２の軸方向の長さは、突出部２１の軸方向の長さ以上に形成されているから、注ぎ口１０からキャップ２０を外した際、開放端２２ａ側を下にしてキャップ２０を平面上に載置すると開放端２２ａはその全周に渡って該平面に接する。これにより、キャップ２０を安定した載置状態に保つことができる。
【００１１】
なお、本発明は上述した実施例に限定されるものではなく、種々の変形が可能である。例えば、本発明はペットボトルに限定されるわけではなく、水筒、ガラス瓶、飲料缶等、各種飲料容器に適用することができる。
【図面の簡単な説明】
【００１２】
【図１】本発明の一実施例のペットボトルのキャップ構造の断面図である。
【符号の説明】
【００１３】
１０：注ぎ口、１１：雌ネジ、１２ａ：先端部、２０：キャップ、２１：突出部、２１ａ：突出端、２２：外殻部、２２ａ：開放端、２２ｂ：閉塞端、２４：雄ネジ、３０：ペットボトル本体。
【図１】
2006008137.tif 000003